(57)【要約】【課題】発光素子列を構成する各発光素子の性能のバラツキを補正すると同時にその長寿命化も図り得るラインヘッドを提供する。【解決手段】階調データに基づき本画素としてそれぞれ発光制御される第１の発光素子OLD1と、前記階調データに基づき補正画素としてそれぞれ発光制御される第２の発光素子OLD2とを含む単位画素Ａ１，Ａ２，・・・，Ａｎを走査方向に複数個配設して構成するとともに、第２の発光素子OLD2は、第１の発光素子OLD1の特性のばらつきを補完するよう前記ばらつきに応じて第１の発光素子OLD1よりも少ない光量で発光制御されるように構成した。【選択図】図２
2007276332.tif 000002
【特許請求の範囲】
【請求項１】
階調データに基づき本画素としてそれぞれ発光制御される第１の発光素子と、前記階調
データに基づき補正画素としてそれぞれ発光制御される第２の発光素子とを含む単位画素
を走査方向に複数個配設して構成するとともに、
前記第２の発光素子は、前記第１の発光素子の特性のばらつきを補完するよう前記ばら
つきに応じて前記第１の発光素子よりも少ない光量で発光制御されるように構成したこと
を特徴とするラインヘッド。
【請求項２】
請求項１に記載するラインヘッドにおいて、
前記各第２の発光素子に対応する補正データを記憶している補正データ用メモリを有し
ており、前記各第２の発光素子の発光制御は前記補正データに基づいて行うように構成し
たことを特徴とするラインヘッド。
【請求項３】
請求項１又は請求項２に記載するラインヘッドにおいて、
前記単位画素は、前記第１の発光素子と前記第２の発光素子とのアノード側又はカソー
ド側同士を接続して形成した分岐点をスイッチ手段を介して定電圧源に接続するとともに
、パルス信号のデューティを階調データに対応させた階調信号で前記スイッチ手段のオン
乃至オフを制御するように構成したものであることを特徴とするラインヘッド。
【請求項４】
請求項１又は請求項２に記載するラインヘッドにおいて、
前記単位画素は、前記第１の発光素子を第１の電流源に、前記第２の発光素子を第２の
電流源にそれぞれ接続するとともに、前記第１及び第２の電流源を共通の電源に接続する
一方、階調データに対応させた階調信号で前記第１及び第２の電流源の電流値をそれぞれ
制御するように構成したものであることを特徴とするラインヘッド。
【請求項５】
請求項１又は請求項２に記載するラインヘッドにおいて、
前記単位画素は、前記第１の発光素子を第１のスイッチ手段に、前記第２の発光素子を
第２のスイッチ手段にそれぞれ接続するとともに、前記第１及び第２のスイッチ手段を共
通の定電圧源に接続する一方、パルス信号のデューティを階調データに対応させた階調信
号で前記第１及び第２のスイッチ手段のオン乃至オフをそれぞれ制御するように構成した
ものであることを特徴とするラインヘッド。
【請求項６】
請求項１又は請求項２に記載するラインヘッドにおいて、
前記単位画素は、前記第１の発光素子を第１の電流源に、前記第２の発光素子を第２の
電流源にそれぞれ接続するとともに、前記第１及び第２の電流源を異なる電源にそれぞれ
接続する一方、階調データに対応させた階調信号で前記第１及び第２の電流源の電流値を
それぞれ制御するように構成したものであることを特徴とするラインヘッド。
【請求項７】
請求項１又は請求項２に記載するラインヘッドにおいて、
前記単位画素は、前記第１の発光素子を第１のスイッチ手段に、前記第２の発光素子を
第２のスイッチ手段にそれぞれ接続するとともに、前記第１及び第２のスイッチ手段を異
なる定電圧源に接続する一方、パルス信号のデューティを階調データに対応させた階調信
号で前記第１及び第２のスイッチ手段のオン乃至オフをそれぞれ制御するように構成した
ものであることを特徴とするラインヘッド。
【請求項８】
請求項１乃至請求項７の何れか一つに記載するラインヘッドにおいて、
前記本画素の発光制御を行う本画素用駆動電流と、前記補正画素の発光制御を行う補正
画素用駆動電流とを切り換えて本画素となる第１の発光素子と補正画素となる第２の発光
素子とを適宜切り換える切換手段をさらに有することを特徴とするラインヘッド。
【請求項９】
請求項１乃至請求項７の何れか一つに記載するラインヘッドにおいて、
本画素となる第１の発光素子はその画素面積を、補正画素となる第２の発光素子の画素
面積よりも大きくしたものであることを特徴とするラインヘッド。
【請求項１０】
本画素となる第１の発光素子と補正画素となる第２の発光素子とを含む単位画素を走査
方向に複数個配設して構成したラインヘッドの前記第１の発光素子を階調データに基づき
それぞれ発光制御するとともに、前記第２の発光素子を前記階調データに基づき前記第１
の発光素子の特性のばらつきを補完するよう前記ばらつきに応じて前記第１の発光素子よ
りも少ない光量で発光制御することを特徴とするラインヘッドの駆動方法。
【請求項１１】
請求項１０に記載するラインヘッドの駆動方法において、
前記各第２の発光素子に対する発光制御は、前記各第２の発光素子に対応する補正デー
タを記憶している補正データ用メモリの前記補正データに基づき行うことを特徴とするラ
インヘッドの駆動方法。
【請求項１２】
請求項１０又は請求項１１に記載するラインヘッドの駆動方法において、
前記本画素の発光制御を行う本画素用駆動電流と、前記補正画素の発光制御を行う補正
画素駆動電流とを切り換えて本画素となる第１の発光素子と補正画素となる第２の発光素
子とを適宜切り換えることを特徴とするラインヘッドの駆動方法。
【請求項１３】
請求項１乃至請求項９の何れか一つに記載のラインヘッドと、現像手段と、転写手段と
の各画像形成用ユニットを配した画像形成ステーションを少なくとも２つ以上設け、転写
媒体が各ステーションを通過することにより、タンデム方式で画像形成を行うことを特徴
とする画像形成装置。
【請求項１４】
静電潜像を担持可能に構成された像担持体と、ロータリ現像ユニットと、請求項１乃至
請求項９の何れか一つに記載のラインヘッドとを備え、前記ロータリ現像ユニットは、複
数のトナーカートリッジに収納されたトナーをその表面に担持するとともに、所定の回転
方向に回転することによって異なる色のトナーを順次前記像担持体との対向位置に搬送し
、前記像担持体と前記ロータリ現像ユニットとの間に現像バイアスを印加して、前記トナ
ーを前記ロータリ現像ユニットから前記像担持体に移動させることで、前記静電潜像を顕
像化してトナー像を形成することを特徴とする画像形成装置。
【発明の詳細な説明】
【技術分野】
【０００１】
本発明はラインヘッド及びその駆動方法並びに画像形成装置に関し、特にライン状に配
設した複数列の発光素子で形成したものに適用して有用なものである。
【背景技術】
【０００２】
電子写真法を利用した複写機、プリンター、ファックス等の画像形成装置における光書
き込み手段として、ライン状に配設した複数列の各単位画素を複数の発光素子で形成した
ものが提案されている。例えば、特許文献１には、各単位画素に含まれる複数の各発光素
子を多重露光して感光体上の１つのドットを露光する技術が開示されている。また、かか
る技術では、多重露光する複数の発光素子の合計光量が一定になるように制御するととも
に、複数の発光素子のうちに欠陥発光素子がある場合には、他の発光素子がその発光量を
補完するように制御している。
【０００３】
一方、特許文献２には、各単位画素に含まれる複数の各発光素子を多重露光して感光体
上の１つのドットを露光する場合に、発光素子の使用頻度に応じて発光させる発光素子を
切り替えて駆動するように制御するラインヘッドが開示されている。
【０００４】
【特許文献１】特開２００４−２１６６２６号公報
【特許文献２】特開２００５−０９６０８８号公報
【発明の開示】
【発明が解決しようとする課題】
【０００５】
上述の如く特許文献１に記載する発明は、各単位画素が複数の発光素子を含んでおり、
多重露光する複数の発光素子の合計光量が一定になるように制御するものではあるが、各
単位画素を構成する発光素子を同じように動作させるため、各発光素子が有する性能のバ
ラツキに起因する光量の変動を生じるという問題がある。また、これを補正するためには
別途補正手段を設ける必要があり、その分構成が複雑になる。
【０００６】
また、特許文献２に記載する発明では、各単位画素が複数の発光素子を含んでおり、こ
の結果発光素子が形成する発光素子ラインを複数個有するものではあるが、各単位画素を
構成する発光素子の合計光量を一定に制御するものではない。
【０００７】
一方、複数個の発光素子を一列に並べて各画素を形成したラインヘッドも汎用されてい
る。かかるラインヘッドにおいて、各画素を形成する各発光素子のＩＰ効率（入力電流と
これに対する発光強度との関係）は一般にばらつきを生じている。そこで、かかるばらつ
きを補完して各発光素子の発光強度を一定にするため、前記ＩＰ効率を考慮してこれが劣
る発光素子に対しては相対的に大きな駆動電流を供給している。
【０００８】
このため、ＩＰ効率が劣る発光素子にはその分大きな駆動電流が常に供給される結果、
ＩＰ効率が劣れば劣る程、寿命が短くなる。ちなみに、発光素子の寿命は駆動電流の−３
乗に比例することが知られている。
【０００９】
この結果、この種のラインヘッドでは、その寿命が最もＩＰ効率の悪い発光素子で規定
されてしまい、かかるＩＰ効率が劣る発光素子の存在が当該ラインヘッドの長寿命化の障
害となっていた。
【００１０】
本発明は、上記従来技術に鑑み、発光素子列を構成する各発光素子の性能のバラツキを
補正すると同時にその長寿命化も図り得るラインヘッド及びその駆動方法並びに画像形成
装置を提供することを目的とする。
【課題を解決するための手段】
【００１１】
上記目的を達成する本発明の第１の態様は、
階調データに基づき本画素としてそれぞれ発光制御される第１の発光素子と、前記階調
データに基づき補正画素としてそれぞれ発光制御される第２の発光素子とを含む単位画素
を走査方向に複数個配設して構成するとともに、
前記第２の発光素子は、前記第１の発光素子の特性のばらつきを補完するよう前記ばら
つきに応じて前記第１の発光素子よりも少ない光量で発光制御されるように構成したこと
を特徴とするラインヘッドである。
本態様によれば、各本画素を構成する各第１の発光素子のＩＰ効率の違いによる各発光
量のばらつきは各本画素に対応させて設けた各補正画素の発光量で補完し、全体として所
定の光量を確保する。ここで、第２の発光素子は第１の発光素子よりも少ない光量で発光
制御しているので、必要な光量を正確に補完し得る。発光素子のＩＰ効率のばらつきの影
響は駆動電流の電流値に比例するからである。
この結果、所定の合計光量を確保した上で、第１の発光素子には階調データで規定され
る一定の駆動電流を常に供給することができ、駆動電流の電流値に依存する第１の発光素
子のそれぞれの寿命を平均化することができる。
ちなみに、発光素子のＩＰ効率のばらつきが、例えば−２０％の範囲で、目標光量を１
０とした場合、第１の発光素子の発光光量は８乃至１０である。そこで、第２の発光素子
は、最大２の光量で発光するように設定され、第１の発光素子の発光光量を補完するよう
に発光制御される。例えば、２の発光光量を補完する場合、この第２の発光素子は、その
ばらつきを考慮すると、発光光量が１．６乃至２．０である。したがって、第１の発光素
子の発光光量と第２の発光素子の発光光量とを合計したばらつきは９．６乃至１０．０と
なりばらつきの改善補正が可能となる。
【００１２】
本発明の第２の態様は、
上記第１の態様に記載するラインヘッドにおいて、
前記各第２の発光素子に対応する補正データを記憶している補正データ用メモリを有し
ており、前記各第２の発光素子の発光制御は前記補正データに基づいて行うように構成し
たことを特徴とするラインヘッドである。
本態様によれば、第２の発光素子の発光を制御する補正データを容易かつ簡便に得るこ
とができ、その分第２の発光素子による所定の発光量の補正が容易になる。
【００１３】
本発明の第３の態様は、
上記第１又は第２の態様に記載するラインヘッドにおいて、
前記単位画素は、前記第１の発光素子と前記第２の発光素子とのアノード側又はカソー
ド側同士を接続して形成した分岐点をスイッチ手段を介して定電圧源に接続するとともに
、パルス信号のデューティを階調データに対応させた階調信号で前記スイッチ手段のオン
乃至オフを制御するように構成したものであることを特徴とするラインヘッドである。
本態様によれば、第１及び第２の発光素子に供給する駆動電流のパルス幅を階調データ
に対応させて発光させることができる。ここで、第１及び第２の発光素子は、スイッチ手
段を介して定電圧源に接続してあるので、第２の発光素子に供給される補正画素駆動電流
の電流値の影響を受けることなく一定の本画素駆動電流が供給される。
【００１４】
本発明の第４の態様は、
上記第１又は第２の態様に記載するラインヘッドにおいて、
前記単位画素は、前記第１の発光素子を第１の電流源に、前記第２の発光素子を第２の
電流源にそれぞれ接続するとともに、前記第１及び第２の電流源を共通の電源に接続する
一方、階調データに対応させた階調信号で前記第１及び第２の電流源の電流値をそれぞれ
制御するように構成したものであることを特徴とするラインヘッドである。
本態様によれば、第１及び第２の発光素子に供給する本画素駆動電流及び補正画素駆動
電流の電流値を制御することで階調データに基づく第１及び第２の発光素子の発光制御を
行うことができる。ここで、第１及び第２の電流源をＭＯＳトランジスタでそれぞれ形成
した場合、これらＭＯＳトランジスタのチャンネル幅を変えることで本画素駆動電流と補
正画素駆動電流との電流値を容易に異なるものとすることができる。
【００１５】
本発明の第５の態様は、
上記第１又は第２の態様に記載するラインヘッドにおいて、
前記単位画素は、前記第１の発光素子を第１のスイッチ手段に、前記第２の発光素子を
第２のスイッチ手段にそれぞれ接続するとともに、前記第１及び第２のスイッチ手段を共
通の定電圧源に接続する一方、パルス信号のデューティを階調データに対応させた階調信
号で前記第１及び第２のスイッチ手段のオン乃至オフをそれぞれ制御するように構成した
ものであることを特徴とするラインヘッドである。
本態様によれば、第１及び第２の発光素子に供給する駆動電流のパルス幅を階調データ
に対応させて発光させることができる。ここで、第１及び第２の発光素子は、それぞれが
独立に定電圧源に接続してあるので、第２の発光素子に供給される補正画素駆動電流の電
流値の影響を受けることなく一定の本画素用駆動電流が供給される。
【００１６】
本発明の第６の態様は、
上記第１又は第２の態様に記載するラインヘッドにおいて、
前記単位画素は、前記第１の発光素子を第１の電流源に、前記第２の発光素子を第２の
電流源にそれぞれ接続するとともに、前記第１及び第２の電流源を異なる電源にそれぞれ
接続する一方、階調データに対応させた階調信号で前記第１及び第２の電流源の電流値を
それぞれ制御するように構成したものであることを特徴とするラインヘッドである。
本態様によれば、第１及び第２の発光素子に供給する本画素用駆動電流及び補正画素用
駆動電流の電流値を制御することで階調データに基づく第１及び第２の発光素子の所定の
発光制御を行うことができる。ここで、第１及び第２の電流源の電源電圧を変えることで
、本画素用駆動電流と補正画素用駆動電流との電流値を容易に異なるものとすることがで
きる。
【００１７】
本発明の第７の態様は、
上記第１の態様又は第２の態様に記載するラインヘッドにおいて、
前記単位画素は、前記第１の発光素子を第１のスイッチ手段に、前記第２の発光素子を
第２のスイッチ手段にそれぞれ接続するとともに、前記第１及び第２のスイッチ手段を異
なる定電圧源に接続する一方、パルス信号のデューティを階調データに対応させた階調信
号で前記第１及び第２のスイッチ手段のオン乃至オフをそれぞれ制御するように構成した
ものであることを特徴とするラインヘッドである。
本態様によれば、第１及び第２の発光素子に供給する駆動電流のパルス幅を階調データ
に対応させて発光させることができる。ここで、第１及び第２の発光素子は、それぞれが
独立に異なる定電圧源に接続してあるので、第２の発光素子に供給される補正画素用駆動
電流の電流値の影響を受けることなく一定の本画素用駆動電流が供給される。
【００１８】
本発明の第８の態様は、
上記第１乃至第７の態様の何れか一つに記載するラインヘッドにおいて、
前記本画素の発光制御を行う本画素用駆動電流と、前記補正画素の発光制御を行う補正
画素用駆動電流とを切り換えて本画素となる第１の発光素子と補正画素となる第２の発光
素子とを適宜切り換える切換手段をさらに有することを特徴とするラインヘッドである。
本態様によれば、本画素用駆動電流及び補正画素用駆動電流を供給する発光素子を切り
換えることができるので、或る期間本画素として機能した第１の発光素子を次の期間では
補正画素として機能する第２の発光素子として動作させることができる。この結果、当該
発光素子に供給される駆動電流を平均化することができ、その分各素子の寿命を延ばすこ
とができる。
【００１９】
本発明の第９の態様は、
上記第１乃至第７の態様の何れか一つに記載するラインヘッドにおいて、
本画素となる第１の発光素子はその画素面積を、補正画素となる第２の発光素子の画素
面積よりも大きくしたものであることを特徴とするラインヘッドである。
本態様によれば、画素面積を変えることで本画素のＩＰ効率のばらつきを補完する補正
画素を容易に形成することができる。
【００２０】
本発明の第１０の態様は、
本画素となる第１の発光素子と補正画素となる第２の発光素子とを含む単位画素を走査
方向に複数個配設して構成したラインヘッドの前記第１の発光素子を階調データに基づき
それぞれ発光制御するとともに、前記第２の発光素子を前記階調データに基づき前記第１
の発光素子の特性のばらつきを補完するよう前記ばらつきに応じて前記第１の発光素子よ
りも少ない光量で発光制御することを特徴とするラインヘッドの駆動方法である。
本態様によれば、各本画素を構成する各第１の発光素子のＩＰ効率の違いによる各発光
量のばらつきは各本画素に対応させて設けた各補正画素の発光量で補完し全体として所定
の光量を確保する。ここで、第２の発光素子は第１の発光素子よりも少ない光量で発光制
御しているので、必要な光量を正確に補完し得る。発光素子のＩＰ効率のばらつきの影響
は駆動電流の電流値に比例するからである。
この結果、所定の合計光量を確保した上で、第１の発光素子には階調データで規定され
る一定の駆動電流を常に供給することができ、駆動電流の電流値に依存する第１の発光素
子のそれぞれの寿命を平均化することができる。
【００２１】
本発明の第１１の態様は、
上記第１０の態様に記載するラインヘッドの駆動方法において、
前記各第２の発光素子に対する発光制御は、前記各第２の発光素子に対応する補正デー
タを記憶している補正データ用メモリの前記補正データに基づき行うことを特徴とするラ
インヘッドの駆動方法である。
本態様によれば、第２の発光素子の発光を制御する補正データを容易かつ簡便に得るこ
とができ、その分第２の発光素子による所定の発光量の補正が容易になる。
【００２２】
本発明の第１２の態様は、
上記第１０又は第１１の態様に記載するラインヘッドの駆動方法において、
前記本画素の発光制御を行う本画素用駆動電流と、前記補正画素の発光制御を行う補正
画素駆動電流とを切り換えて本画素となる第１の発光素子と補正画素となる第２の発光素
子とを適宜切り換えることを特徴とするラインヘッドの駆動方法である。
本態様によれば、本画素用駆動電流及び補正画用駆動電流を供給する発光素子を切り換
えることができるので、或る期間本画素として機能した第１の発光素子を次の期間では補
正画素として機能する第２の発光素子として動作させることができる。この結果、当該発
光素子に供給される駆動電流を平均化することができ、その分各素子の寿命を延ばすこと
ができる。
【００２３】
本発明の第１３の態様は、
上記第１乃至第９の態様の何れか一つに記載のラインヘッドと、現像手段と、転写手段
との各画像形成用ユニットを配した画像形成ステーションを少なくとも２つ以上設け、転
写媒体が各ステーションを通過することにより、タンデム方式で画像形成を行うことを特
徴とする画像形成装置である。
本態様によれば、タンデム方式の画像形成装置におけるラインヘッドの長寿命化を図る
ことができるので、当該装置を用いた長期に亘る安定した印字動作を保証することができ
る。
【００２４】
本発明の第１４の態様は、
静電潜像を担持可能に構成された像担持体と、ロータリ現像ユニットと、上記第１乃至
第９の何れか一つに記載のラインヘッドとを備え、前記ロータリ現像ユニットは、複数の
トナーカートリッジに収納されたトナーをその表面に担持するとともに、所定の回転方向
に回転することによって異なる色のトナーを順次前記像担持体との対向位置に搬送し、前
記像担持体と前記ロータリ現像ユニットとの間に現像バイアスを印加して、前記トナーを
前記ロータリ現像ユニットから前記像担持体に移動させることで、前記静電潜像を顕像化
してトナー像を形成することを特徴とする画像形成装置である。
本態様によれば、ロータリ現像ユニット方式の画像形成装置におけるラインヘッドの長
寿命化を図ることができるので、当該装置を用いた長期に亘る安定した印字動作を保証す
ることができる。
【発明を実施するための最良の形態】
【００２５】
以下本発明の実施の形態を図面に基づき詳細に説明する。
図１は本発明の実施の形態に係るラインヘッドの発光素子の配置状態を示す説明図であ
る。同図に示すように、当該ラインヘッド１０は、走査方向（Ｙ方向）に複数個配設され
た発光素子で形成する発光素子列Ｌａ、Ｌｂを副走査方向（Ｘ方向）に複数本（図では２
本）配設して本画素に対し補正画素を対応させて形成したものである。すなわち、階調デ
ータに基づき本画素としてそれぞれ発光制御される第１の発光素子OLD1と、前記階調デー
タに基づき補正画素としてそれぞれ発光制御される第２の発光素子OLD2からなる単位画素
Ａ１，Ａ２，・・・Ａｎを走査方向に複数個配設して構成したものである。
【００２６】
ここで、各第２の発光素子OLD2は、第１の発光素子OLD1の特性のばらつきを補完するよ
う前記ばらつきに応じて第１の発光素子OLD1よりも少ない光量で発光制御される。この場
合の補正量は、当該ラインヘッドの作製後の検査時、工場出荷時等において各第１の発光
素子OLD1の光量を検出し所定光量との比較において決定される。すなわち、各第１の発光
素子OLD1のＩＰ効率の測定値に基づいて決定される。決定した補正値は、適宜メモリに記
憶しておき、必要に応じて読み出して利用する。
【００２７】
一方、当該ラインヘッドの使用時にリアルタイムで各単位画素Ａ１乃至Ａｎの光量を検
出し、この検出結果に基づき第２の発光素子OLD2による光量補正の際の補正量を決定して
も良い。
【００２８】
＜第１の実施の形態＞
図２は本発明の第１の実施の形態に係るラインヘッドを示す回路図である。同図に示す
ように、階調データ用選択信号生成回路１１は、単位画素Ａ１，Ａ２，・・・，Ａｎと同
数段のシフトレジスタをタンデムに接続して構成した回路で、スタートパルスＳＰ１とク
ロック信号ＣＫ１からなる駆動信号により所定の信号を順次次段に伝送するものであり、
その出力信号ＳＲ１１，ＳＲ２１，・・・，ＳＲｎ１を単位画素Ａ１，Ａ２，・・・，Ａ
ｎに供給している。
【００２９】
単位画素Ａ１，Ａ２，・・・，Ａｎは、本画素となる第１の発光素子OLD1及び補正画素
となる第２の発光素子OLD2を有している。第１の発光素子OLD1は本画素用駆動電流ＩOLD1
の供給により発光され、第２の発光素子OLD2は補正画素用駆動電流ＩOLD2の供給により発
光される。この結果、各第２の発光素子OLD2は、第１の発光素子OLD1のＩＰ効率のばらつ
きを補完するよう前記ばらつきに応じて発光制御される。ここで、本画素用駆動電流ＩOL
D1＞補正画素用駆動電流ＩOLD2となるように両者の電流値を設定してある。
【００３０】
選択トランジスタＴｒ１は、階調データ用選択信号生成回路１１の出力信号ＳＲ１で選
択されたとき階調データ線１４を介して供給される階調データを表す階調信号が各単位画
素Ａ１，Ａ２，・・・，Ａｎへ供給される。駆動トランジスタＴｒ２はそのゲートに供給
される前記階調信号に基づき第１の発光素子OLD1及び第２の発光素子OLD2を駆動する本画
素用駆動電流ＩOLD1及び補正画素用駆動電流ＩOLD2を形成する。
【００３１】
ここで第１の発光素子OLD1と第２の発光素子OLD2とのアノード側同士を接続して形成し
た分岐点Ｐは、スイッチ手段として機能する駆動トランジスタＴｒ２を介して定電圧源に
繋がる電源線Ｖｄｄ，Ｖｓｓに接続してあり、パルス信号のデューティを階調データに対
応させた前記階調信号で駆動トランジスタＴｒ２のオン乃至オフを制御するように構成し
てある。すなわち、駆動トランジスタＴｒ２のオン時間は階調データに基づき制御される
。
【００３２】
補正データ用選択信号生成回路１３は、階調データ用選択信号生成回路１１と同様に、
単位画素Ａ１，Ａ２，・・・，Ａｎと同数段のシフトレジスタをタンデムに接続して構成
した回路で、スタートパルスＳＰ２とクロック信号ＣＫ２からなる駆動信号により所定の
信号を、階調データ用選択信号生成回路１１の動作と同期させて順次次段に伝送するもの
であり、その出力信号ＳＲ１２，ＳＲ２２，・・・，ＳＲｎ２を単位画素Ａ１，Ａ２，・
・・，Ａｎに供給している。
【００３３】
補正データ用メモリ１２は、各単位画素Ａ１乃至Ａｎの各第１の発光素子OLD1に固有の
補正値を記憶している。この補正データ用メモリ１２は、補正データ用選択信号生成回路
１３の出力信号ＳＲ１２乃至ＳＲｎ２で選択されている期間、補正データ線１５を介して
伝送される補正データを書き込むことができる。そこで、製品集荷時等に実施した検査に
より補正データを作成し、この補正データを当該ラインヘッド外の回路に保存しておき、
露光動作に先立ち当該ラインヘッドを有する画像形成装置の立ち上げ時に前記補正データ
を補正データ線１５に伝送して補正データ用メモリに書き込むことができる。当然、同様
の態様で一旦調整した補正データをその後適宜書き換えることもできる。
【００３４】
補正データ用メモリ１２に記憶してある補正データを表す補正信号は、補正トランジス
タＴｒ３のゲートに供給される。ここで、トランジスタＴｒ３は分岐点Ｐと第２の発光素
子OLD2のアノード側との間に配設してスイッチ手段として機能させるようになっている。
すなわち、前記補正信号は、第２の発光素子OLD2による補正量に基づきスイッチ手段とし
て機能する補正トランジスタＴｒ３のオン時間を制御する。
【００３５】
かかる本形態によれば、第１の発光素子OLD1に供給する本画素用駆動電流ＩOLD1及び第
２の発光素子OLD2子に供給する補正画素用駆動電流ＩOLD2のパルス幅を階調データに対応
させて発光させるが、本画素を構成する第１の発光素子OLD1のＩＰ効率の違いによる発光
量のばらつきは補正画素を構成する第２の発光素子OLD2の発光量で補完し、全体として所
定の光量を確保することができる。ここで、第２の発光素子OLD2は第１の発光素子OLD1よ
りも少ない光量で発光制御しているので、必要な光量を正確に補完し得る。発光素子のＩ
Ｐ効率のばらつきの影響は駆動電流の電流値に比例するからである。
【００３６】
この結果、所定の合計光量を確保した上で、第１の発光素子OLD1には階調信号で規定さ
れる一定の本画素用駆動電流ＩOLD1を常に供給することができ、本画素用駆動電流ＩOLD1
の電流値に依存する第１の発光素子OLD1のそれぞれの寿命を平均化することができる。
【００３７】
また、第１の発光素子OLD1及び第２の発光素子OLD2は、スイッチ手段である駆動トラン
ジスタＴｒ２を介して定電圧源に接続してあるので、第２の発光素子OLD2に供給される補
正画素用駆動電流ＩOLD2の電流値の影響を受けることなく一定の本画素用駆動電流ＩOLD1
を第１の発光素子OLD1に供給することができる。
【００３８】
図３は図２に示す回路の動作を説明するためのタイミングチャートである。同図に示す
ように、（ａ）に示す補正データＣ１，Ｃ２，・・・，Ｃｎは、（ｂ）に示す補正用の選
択信号である出力信号ＳＲ１２乃至ＳＲｎ２により補正データ用メモリ１２に書き込まれ
る。
【００３９】
その後、露光動作に移行するが、（ｃ）に示す階調データは、１ビット目から順に、（
ｄ）に示す階調用の選択信号である出力信号ＳＲ１１乃至ＳＲｎ１で規定される期間に応
じて読み込まれ、（ｅ）に示すように階調データに応じてOLED1，OLED2，・・・，OLEDn
が発光する。ここで、OLED1，OLED2，・・・，OLEDnは第１の発光素子OLD1及び第２の発
光素子OLD2両方の発光状態を表している。
【００４０】
なお、図中、Ｄ１，Ｄ２，・・・，Ｄｎは階調データ、Ｒはリセット信号を表しており
、階調データの書き込みからリセット信号の書き込みまでの期間がパルス幅となる。すな
わち、２ビット目ではOLD1はＳＲ１１の立ち上がりで立ち上がり、次の次のリセット信号
の立ち上がりで立ち下がる期間発光することを表している。
【００４１】
又、図３には１ビット及び２ビットの始めのみを示したが、３ビット以降も同様に考え
ることができる。
【００４２】
＜第２の実施の形態＞
図４は本発明の第２の実施の形態に係るラインヘッドを示す回路図である。同図に示す
ように、本実施の形態は本画素用駆動電流ＩOLD1乃至補正画素用駆動電流ＩOLD2の供給対
象を切り換えて本画素を構成する第１の発光素子OLD1と補正画素を形成する第２の発光素
子OLD2とを切り換えるものである。すなわち、図２に示すラインヘッドに切換回路１６を
追加したものである。その他の構成は図２に示すラインヘッドと同様であるので、同一部
分には同一番号を付し、重複する説明は省略する。
【００４３】
図４に示すように、切換回路１６は、分岐点Ｐと第１の発光素子OLD1のアノード側及び
補正用トランジスタＴｒ３のソース側と第２の発光素子OLD2のアノード側とに跨って配設
してあり、本画素用駆動電流ＩOLD1と補正画素用駆動電流ＩOLD2とを切り換えて本画素と
なる第１の発光素子OLD1と補正画素となる第２の発光素子OLD2とを適宜切り換えている。
ここで、切り換えのタイミングは、種々考えられるが、例えば、１）画像データが変わる
ライン毎に切換える、２）当該ラインヘッド１０の電源投入時毎に切換える、３）当該ラ
インヘッド１０における露光開始時又は露光終了時毎に切換える等が好適である。
【００４４】
ここで、第２の発光素子OLD2が補正画素となる場合と第１の発光素子OLD1が補正画素と
なる場合とでは、補正量が異なる。補正画素の光量は、本画素の光量との関係において決
まる相対的な量であるからである。そこで、第１の発光素子OLD1と第２の発光素子OLD2と
の切り換えに同期させた補正量の切換が必要になるが、１）前記切換時に補正データ用メ
モリ１２の内容を書き換える、２）第１の発光素子OLD1と第２の発光素子OLD2との２種類
の補正量を予め補正データメモリ１２に記憶しておいて、その何れかを適宜選択して供給
する等の方法で容易に対処し得る。
【００４５】
図５は図４の切換回路を抽出してさらに具体的な回路を示す回路図である。同図に示す
ように、切換え前の切換信号ＳＥＬがＨレベルのとき本画素である第１の発光素子OLD1に
はトランジスタＴｒ５を介して本画素用駆動電流ＩOLD1が供給され、第２の発光素子OLD2
にはトランジスタＴｒ６を介して補正画素用駆動電流ＩOLD2が供給される。切換により切
換信号ＳＥＬがＬレベルになると本画素用駆動電流ＩOLD1の供給対象と、補正画素用駆動
電流ＩOLD2の供給対象が入れ替わり切換前の本画素を構成する第１の発光素子OLD1が補正
画素を構成する第２の発光素子OLD2として機能し、同様に切換前の補正画素を構成する第
２の発光素子OLD2が本画素を構成する第１の発光素子OLD1として機能するようになる。す
なわち、インバータ１８の動作により、切換後はトランジスタＴｒ５，Ｔｒ６に代わって
トランジスタＴｒ７，Ｔｒ８がオンとなる結果、本画素を構成する第１の発光素子OLD1と
補正画素を構成する第２の発光素子OLD2が入れ替わる。
【００４６】
本形態によれば、本画素用駆動電流ＩOLD1及び補正画素用駆動電流ＩOLD2を供給する発
光素子を切り換えることができるので、或る期間本画素として機能した第１の発光素子OL
D1を次の期間では補正画素として機能する第２の発光素子OLD2として動作させることがで
きる。この結果、当該発光素子に供給される駆動電流を平均化することができ、その分各
素子の寿命を延ばすことができる。
【００４７】
＜第３の実施の形態＞
図６は本発明の第３の実施の形態に係るラインヘッドを示す回路図である。同図に示す
ように、本形態に係るラインヘッドは、駆動トランジスタＴｒ２を本画素用駆動電流ＩOL
D1を供給する電流源として機能させるとともに、他にもう一つの補正画素用駆動電流ＩOL
D2を供給する電流源として機能させる駆動トランジスタＴｒ４を有するものである。ただ
、多くの点で図２に示すラインヘッドと同様であるので、同一部分には同一番号を付し、
重複する説明は省略する。
【００４８】
図６に示すように、駆動トランジスタＴｒ２，Ｔｒ４は、それぞれのドレン側が、定電
圧が印加された電源線Ｖｄｄに共通に接続してあり、それぞれのゲートには選択トランジ
スタＴｒ１で選択された所定の期間、所定の階調信号が供給される。この階調信号は階調
データを電圧値で表す信号であり、階調データ線１４を介して供給される。したがって、
この場合の駆動トランジスタＴｒ２，Ｔｒ４は、線形領域を利用して電流源として機能さ
せる。このとき、例えば駆動トランジスタＴｒ２，Ｔｒ４のチャンネル幅が異なっており
、異なる電流値の駆動電流を供給することができるように構成してある。すなわち、本画
素用駆動電流ＩOLD1＞補正画素用駆動電流ＩOLD2となるように調整してある。
【００４９】
かかる本形態によれば、第１の発光素子OLD1及び第２の発光素子OLD2に供給する本画素
用駆動電流ＩOLD1及び補正画素用駆動電流ＩOLD2の電流値を制御することで、本画素用駆
動電流ＩOLD1は階調データに基づく一定値の電流であっても、第１の発光素子OLD1のＩＰ
効率のばらつきを第２の発光素子OLD2の発光制御で補完することができる。ここで、駆動
トランジスタＴｒ２，Ｔｒ４は電源線Ｖｄｄ，Ｖｓｓ間に並列に接続してあるので、第１
の発光素子OLD1及び第２の発光素子OLD2に供給される本画素用駆動電流ＩOLD1及び補正画
素用駆動電流ＩOLD2が他の影響を受けることはない。
【００５０】
なお、本形態においては駆動トランジスタＴｒ２，Ｔｒ４をスイッチ手段として利用し
ても同様の作用・効果を得ることができる。この場合には、階調信号は、階調データに対
応するパルス幅の信号となり駆動トランジスタＴｒ２，Ｔｒ４のオン時間の制御により所
定の発光光量を得る。
【００５１】
また、本形態におけるタイミングチャートは図３と同様である。
【００５２】
＜第４の実施の形態＞
図７は本発明の第４の実施の形態に係るラインヘッドを示す回路図である。同図に示す
ように、本実施の形態は本画素用駆動電流ＩOLD1乃至補正画素用駆動電流ＩOLD2の供給対
象を切り換えて本画素を構成する第１の発光素子OLD1と補正画素を形成する第２の発光素
子OLD2とを切り換えるものである。すなわち、図６に示すラインヘッドに切換回路１６を
追加したものである。その他の構成は図６に示すラインヘッドと同様であるので、同一部
分には同一番号を付し、重複する説明は省略する。
【００５３】
図７に示すように、切換回路１６は、駆動トランジスタＴｒ２と第１の発光素子OLD1の
アノード側及び補正用トランジスタＴｒ３のソース側と第２の発光素子OLD2のアノード側
とに跨って配設してあり、本画素用駆動電流ＩOLD1と補正画素用駆動電流ＩOLD2とを切り
換えて本画素となる第１の発光素子OLD1と補正画素となる第２の発光素子OLD2とを適宜切
り換えている。ここで、切り換えのタイミングは、図４に示す第２の実施の形態と同様で
ある。
【００５４】
本形態によれば、本画素用駆動電流ＩOLD1及び補正画素用駆動電流ＩOLD2供給する発光
素子を切り換えることができるので、或る期間本画素として機能した第１の発光素子OLD1
を次の期間では補正画素として機能する第２の発光素子OLD2として機能させることができ
る。この結果、当該発光素子に供給される駆動電流を平均化することができ、その分各素
子の寿命を延ばすことができる。
【００５５】
ここで、第２の発光素子OLD2が補正画素となる場合と第１の発光素子OLD1が補正画素と
なる場合とで補正量が異なる点に対する対策は前記第２の実施の形態と同様に行えば良い
。
【００５６】
＜第５の実施の形態＞
図８は本発明の第５の実施の形態に係るラインヘッドを示す回路図である。同図に示す
ように、本形態に係るラインヘッドは、図６に示す第３の実施の形態における電源線Ｖｄ
ｄを二つの電源線Ｖｄｄ１，Ｖｄｄ２に分けたものである。すなわち、駆動トランジスタ
Ｔｒ２を本画素用駆動電流ＩOLD1を供給する電流源として機能させるとともに、駆動トラ
ンジスタＴｒ４を補正画素用駆動電流ＩOLD2を供給する電流源として機能させるものであ
る点に関しては、図６に示す第３の実施の形態と変わるところはない。そこで、図６と同
一部分には同一番号を付し、重複する説明は省略する。
【００５７】
本形態における電源線Ｖｄｄ１，Ｖｄｄ２は異なる電圧（Ｖｄｄ１＞Ｖｄｄ２）を印加
する二つの定電圧源に接続してある。
【００５８】
したがって、本態様によれば、電源線Ｖｄｄ１，Ｖｄｄ２に供給する定電圧源の電圧を
調整することで第３の実施の形態と同様の作用・効果を得る。すなわち、電源電圧を変え
ることで、本画素用駆動電流ＩOLD1と補正画素用駆動電流ＩOLD2との電流値を容易に異な
るものとすることができ、本画素用駆動電流ＩOLD1＞補正画素用駆動電流ＩOLD2の関係を
容易に形成し得る。
【００５９】
なお、本形態においても、図６に示す第３の実施の形態と同様に、駆動トランジスタＴ
ｒ２，Ｔｒ４をスイッチ手段として利用しても同様の作用・効果を得ることができる。こ
の場合には、階調信号は、階調データに対応するパルス幅の信号となり駆動トランジスタ
Ｔｒ２，Ｔｒ４のオン時間の制御により所定の発光光量を得る。
【００６０】
また、本形態におけるタイミングチャートは図３と同様である。
【００６１】
＜第６の実施の形態＞
図９は本発明の第６の実施の形態に係るラインヘッドを示す回路図である。同図に示す
ように、本実施の形態は本画素用駆動電流ＩOLD1乃至補正画素用駆動電流ＩOLD2の供給対
象を切り換えて本画素を構成する第１の発光素子OLD1と補正画素を形成する第２の発光素
子OLD2とを切り換えるものである。すなわち、図８に示すラインヘッドに切換回路１６，
１７を追加したものである。その他の構成は図８に示すラインヘッドと同様であるので、
同一部分には同一番号を付し、重複する説明は省略する。
【００６２】
図９に示すように、切換回路１６は、駆動トランジスタＴｒ２と第１の発光素子OLD1の
アノード側及び補正用トランジスタＴｒ３のソース側と第２の発光素子OLD2のアノード側
とに跨って配設してあり、本画素用駆動電流ＩOLD1と補正画素用駆動電流ＩOLD2とを切り
換えて本画素となる第１の発光素子OLD1と補正画素となる第２の発光素子OLD2とを適宜切
り換えている。本形態ではかかる切換に対応するように切換回路１７による電源線Ｖｄｄ
１，Ｖｄｄ２の切換も行う。ここで、切り換えのタイミングは、図４に示す第２の実施の
形態と同様である。
【００６３】
本形態によれば、本画素用駆動電流ＩOLD1及び補正画素用駆動電流ＩOLD2供給する発光
素子を切り換えることができるので、或る期間本画素として機能した第１の発光素子OLD1
を次の期間では補正画素として機能する第２の発光素子OLD2として機能させることができ
る。この結果、当該発光素子に供給される駆動電流を平均化することができ、その分各素
子の寿命を延ばすことができる。
【００６４】
ここで、第２の発光素子OLD2が補正画素となる場合と第１の発光素子OLD1が補正画素と
なる場合とで補正量が異なる点に対する対策は前記第２の実施の形態と同様に行えば良い
。
【００６５】
＜他の実施の形態＞
図１０は他の実施の形態に係るラインヘッドの発光素子の配置状態を示す説明図である
。同図に示すように、このラインヘッドは、本画素となる第１の発光素子OLD1の画素面積
を、補正画素となる第２の発光素子OLD2の画素面積よりも大きくしたものである。
【００６６】
本態様によれば、画素面積を変えることで本画素のＩＰ効率のばらつきを補完する補正
画素を容易に形成することができる。
【００６７】
本発明においては、第２の発光素子を複数個の発光素子で形成することもできる。この
場合には複数個の発光素子の集合体として、第１の発光素子のＩＰ効率を補正することが
できるので、前記集合体を構成する各発光素子のＩＰ効率にばらつきを生起していてもそ
の影響を可及的に低減できる。
【００６８】
＜画像形成装置＞
次に、図１１を参照して、本発明に係る画像形成装置について説明する。この画像形成
装置は、ベルト中間転写体方式を利用したタンデム型のフルカラー画像形成装置である。
【００６９】
この画像形成装置では、各々が同様の構成である４個のラインヘッド１０Ｋ，１０Ｃ，
１０Ｍ，１０Ｙが、各々の構成が同様である４個の感光体ドラム（像担持体）１１０Ｋ，
１１０Ｃ，１１０Ｍ，１１０Ｙの像形成面に対向する位置にそれぞれ配置されている。ラ
インヘッド１０Ｋ，１０Ｃ，１０Ｍ，１０Ｙは、上述の各実施の形態に係るラインヘッド
１０と同様の構成である。
【００７０】
図１１に示すように、このラインヘッドには、駆動ローラ１２１と従動ローラ１２２と
が設けられており、これらのローラ１２１，１２２には無端の中間転写ベルトが巻回され
て、矢印に示すようにローラ１２１，１２２の周囲を回転させられる。図示しないが、中
間転写ベルトに張力を与えるテンションローラなどの張力付与手段を設けてもよい。
【００７１】
この中間転写ベルトの周囲には、外周面に感光層を有する４個の感光体ドラム１１０Ｋ
，１１０Ｃ，１１０Ｍ，１１０Ｙが互いに所定の間隔をおいて配置される。添字「Ｋ」，
「Ｃ」，「Ｍ」，「Ｙ」はそれぞれ黒、シアン、マゼンタ、イエローの顕像を形成するた
めに使用されることを意味している。他の部材についても同様である。感光体ドラム１１
０Ｋ，１１０Ｃ，１１０Ｍ，１１０Ｙは、中間転写ベルトの駆動と同期して回転駆動され
る。
【００７２】
各感光体ドラム１１０（Ｋ，Ｃ，Ｍ，Ｙ）の周囲には、コロナ帯電器１１１（Ｋ，Ｃ，
Ｍ，Ｙ）と、ラインヘッド１０（Ｋ，Ｃ，Ｍ，Ｙ）と、現像器１１４（Ｋ，Ｃ，Ｍ，Ｙ）
とが配置されている。コロナ帯電器１１１（Ｋ，Ｃ，Ｍ，Ｙ）は、これに対応する感光体
ドラム１１０（Ｋ，Ｃ，Ｍ，Ｙ）の像形成面（外周面）を一様に帯電させる。ラインヘッ
ド１０（Ｋ，Ｃ，Ｍ，Ｙ）は、各感光体ドラムの帯電した像形成面に静電潜像を書き込む
。各ラインヘッド１０（Ｋ，Ｃ，Ｍ，Ｙ）においては、感光体ドラム１１０（Ｋ，Ｃ，Ｍ
，Ｙ）の母線（主走査方向）に沿って複数の発光素子Ｅが配列する。静電潜像の書き込み
は、複数の発光素子Ｅによって感光体ドラム１１０（Ｋ，Ｃ，Ｍ，Ｙ）に光を照射するこ
とにより行う。現像器１１４（Ｋ，Ｃ，Ｍ，Ｙ）は、静電潜像に現像剤としてのトナーを
付着させることにより感光体ドラム１１０（Ｋ，Ｃ，Ｍ，Ｙ）に顕像（すなわち可視像）
を形成する。
【００７３】
このような４色の単色顕像形成ステーションにより形成された黒、シアン、マゼンタ、
イエローの各顕像は、中間転写ベルト上に順次に一次転写されることによって中間転写ベ
ルト上で重ね合わされ、この結果としてフルカラーの顕像が形成される。中間転写ベルト
の内側には、４つの一次転写コロトロン（転写器）１１２（Ｋ，Ｃ，Ｍ，Ｙ）が配置され
ている。一次転写コロトロン１１２（Ｋ，Ｃ，Ｍ，Ｙ）は、感光体ドラム１１０（Ｋ，Ｃ
，Ｍ，Ｙ）の近傍にそれぞれ配置されており、感光体ドラム１１０（Ｋ，Ｃ，Ｍ，Ｙ）か
ら顕像を静電的に吸引することにより、感光体ドラムと一次転写コロトロンの間を通過す
る中間転写ベルトに顕像を転写する。
【００７４】
最終的に画像を形成する対象（記録材）としてのシート１０２は、ピックアップローラ
１０３によって、給紙カセット１０１から１枚ずつ給送されて、駆動ローラ１２１に接し
た中間転写ベルトと二次転写ローラ１２６の間のニップに送られる。中間転写ベルト上の
フルカラーの顕像は、二次転写ローラ１２６によってシート１０２の片面に一括して二次
転写され、定着部である定着ローラ対１２７を通ることでシート１０２上に定着される。
この後、シート１０２は、排紙ローラ対１２８によって、装置上部に形成された排紙カセ
ット上へ排出される。
【００７５】
次に、図１２を参照して、本発明に係る画像形成装置の他の形態について説明する。こ
の画像形成装置は、ベルト中間転写体方式を利用したロータリ現像式のフルカラー画像形
成装置である。図１２に示すように、感光体ドラム１１０の周囲には、コロナ帯電器１６
８と、ロータリ式の現像ユニット１６１と、上述の実施の形態に係るラインヘッド１０と
、中間転写ベルト１６９とが設けられている。
【００７６】
コロナ帯電器１６８は、感光体ドラム１１０の外周面を一様に帯電させる。ラインヘッ
ド１０は、感光体ドラム１１０の帯電させられた像形成面（外周面）に静電潜像を書き込
む。このラインヘッド１０においては、感光体ドラム１１０の母線（主走査方向）に沿っ
て複数の発光素子Ｅが配列する。静電潜像の書き込みは、これらの発光素子Ｅから感光体
ドラム１１０に光を照射することにより行う。
【００７７】
現像ユニット１６１は、４つの現像器１６３Ｙ，１６３Ｃ，１６３Ｍ，１６３Ｋが９０
０°の角間隔をおいて配置されたドラムであり、軸１６１ａを中心にして反時計回りに回
転可能である。現像器１６３Ｙ，１６３Ｃ，１６３Ｍ，１６３Ｋは、それぞれイエロー、
シアン、マゼンタ、黒のトナーを感光体ドラム１１０に供給して、静電潜像に現像剤とし
てのトナーを付着させることにより感光体ドラム１１０に顕像（すなわち可視像）を形成
する。
【００７８】
無端の中間転写ベルト１６９は、駆動ローラ１７０ａ、従動ローラ１７０ｂ、一次転写
ローラ１６６およびテンションローラに巻回されて、これらのローラの周囲を矢印に示す
向きに回転させられる。一次転写ローラ１６６は、感光体ドラム１１０から顕像を静電的
に吸引することにより、感光体ドラム１１０と一次転写ローラ１６６の間を通過する中間
転写ベルト１６９に顕像を転写する。具体的には、感光体ドラム１１０の最初の１回転で
、ラインヘッド１０によりイエロー（Ｙ）像のための静電潜像が書き込まれて現像器１６
３Ｙにより同色の顕像が形成され、さらに中間転写ベルト１６９に転写される。また、次
の１回転で、ラインヘッド１０によりシアン（Ｃ）像のための静電潜像が書き込まれて現
像器１６３Ｃにより同色の顕像が形成され、イエローの顕像に重なり合うように中間転写
ベルト１６９に転写される。このようにして感光体ドラム１１０が４回転する間に、イエ
ロー、シアン、マゼンタ、黒の顕像が中間転写ベルト１６９に順次に重ね合わせられ、こ
の結果としてフルカラーの顕像が転写ベルト１６９上に形成される。最終的に画像を形成
する対象としてのシートの両面に画像を形成する場合には、中間転写ベルト１６９に表面
と裏面の同色の顕像を転写し、次に中間転写ベルト１６９に表面と裏面の次の色の顕像を
転写する形式で、フルカラーの顕像を中間転写ベルト１６９上に形成する。
【００７９】
画像形成装置には、シートが通過させられるシート搬送路１７４が設けられている。シ
ートは、給紙カセット１７８から、ピックアップローラ１７９によって１枚ずつ取り出さ
れ、搬送ローラによってシート搬送路１７４を進行させられ、駆動ローラ１７０ａに接し
た中間転写ベルト１６９と二次転写ローラ１７１の間のニップを通過する。二次転写ロー
ラ１７１は、中間転写ベルト１６９からフルカラーの顕像を一括して静電的に吸引するこ
とにより、シートの片面に顕像を転写する。二次転写ローラ１７１は、図示しないクラッ
チにより中間転写ベルト１６９に接近および離間させられるようになっている。そして、
シートにフルカラーの顕像を転写する時に二次転写ローラ１７１は中間転写ベルト１６９
に当接させられ、中間転写ベルト１６９に顕像を重ねている間は二次転写ローラ１７１か
ら離される。
【００８０】
以上のようにして画像が転写されたシートは定着器１７２に搬送され、定着器１７２の
加熱ローラ１７２ａと加圧ローラ１７２ｂの間を通過させられることにより、シート上の
顕像が定着する。定着処理後のシートは、排紙ローラ対１７６に引き込まれて矢印Ｆの向
きに進行する。両面印刷の場合には、シートの大部分が排紙ローラ対１７６を通過した後
、排紙ローラ対１７６が逆方向に回転させられ、矢印Ｇで示すように両面印刷用搬送路１
７５に導入される。そして、二次転写ローラ１７１により顕像がシートの他面に転写され
、再び定着器１７２で定着処理が行われた後、排紙ローラ対１７６でシートが排出される
。
【図面の簡単な説明】
【００８１】
【図１】実施の形態に係るラインヘッドの発光素子の配置状態を示す説明図。
【図２】第１の実施の形態に係るラインヘッドを示す回路図。
【図３】図２に示す回路の動作を説明するためのタイミングチャート。
【図４】第２の実施の形態に係るラインヘッドを示す回路図。
【図５】図４の切換回路のさらに具体的な回路を示す回路図。
【図６】第３の実施の形態に係るラインヘッドを示す回路図。
【図７】第４の実施の形態に係るラインヘッドを示す回路図。
【図８】第５の実施の形態に係るラインヘッドを示す回路図。
【図９】第６の実施の形態に係るラインヘッドを示す回路図。
【図１０】他の実施の形態に係るラインヘッドの発光素子の配置状態を示す説明図。
【図１１】本発明に係る画像形成装置の一例を示す断面図。
【図１２】本発明に係る画像形成装置の他の例を示す断面図。
【符号の説明】
【００８２】
１０  ラインヘッド、  １１  階調データ用選択信号生成回路、  １２  補正データ用
メモリ、  １３  補正データ用選択信号生成回路、  １４  階調データ線、  １５  補正
データ線、  １６  切換回路、  １７  切換回路、  OLD1  第１の発光素子、  OLD2  第
２の発光素子、  ＩOLD1  本画素用駆動電流、  ＩOLD2  補正画素用駆動電流
【図１】
2007276332.tif 000003
【図２】
2007276332.tif 000004
【図３】
2007276332.tif 000005
【図４】
2007276332.tif 000006
【図５】
2007276332.tif 000007
【図６】
2007276332.tif 000008
【図７】
2007276332.tif 000009
【図８】
2007276332.tif 000010
【図９】
2007276332.tif 000011
【図１０】
2007276332.tif 000012
【図１１】
2007276332.tif 000013
【図１２】
2007276332.tif 000014